(57)【要約】【課題】フィンを付設してなる包装袋を、シンプルな製造プロセスで、歩留まり良く効率的に、かつ安価に製造することを可能とする包装袋の製造方法を提供する。【解決手段】包装袋Ｐの製造方法は、（ａ）一定幅の長尺な合成樹脂フィルムＦの左右を内向きに折り返すとともに、片側の折り返し部分Ｒ１を外向きに折り返して、他側の折り返し部分Ｒ２と重ね合わせることによって長尺状折畳み体１１を形成する折畳み工程、（ｂ）形成された長尺状折畳み体１１に、所定の幅のヒートシールを合成樹脂フィルムＦの長手方向と直交するように等間隔で施すヒートシール工程、（ｃ）ヒートシール部分の中間で、合成樹脂フィルムＦを裁断する裁断工程、および、（ｄ）片側の折り返し部分Ｒ１と他側の折り返し部分Ｒ２とをヒートシールすることによって収納領域を密封するとともに支承片を形成する支承片形成工程を有している。【選択図】図２
2019018481.tif 000002
【特許請求の範囲】
【請求項１】
合成樹脂フィルムによって矩形状の袋本体の背面から矩形の支承片を突出させた形状を有する包装袋を製造するための製造方法であって、
下記の（ａ）〜（ｄ）の工程を有することを特徴とする包装袋の製造方法。
（ａ）一定幅の長尺な合成樹脂フィルムの左右を内向きに折り返すとともに、片側の折り返し部分を外向きに折り返して、他側の折り返し部分と重ね合わせることによって長尺状折畳み体を形成する折畳み工程
（ｂ）形成された長尺状折畳み体に、所定の幅のヒートシールを合成樹脂フィルムの長手方向と直交するように等間隔で施すヒートシール工程
（ｃ）ヒートシール部分の中間で、合成樹脂フィルムを裁断する裁断工程
（ｄ）片側の折り返し部分と他側の折り返し部分とをヒートシールすることによって収納領域を密封するとともに支承片を形成する支承片形成工程
【請求項２】
支承片形成工程（ｄ）が、重なり合った２つの折り返し部分の全体をヒートシールするものであることを特徴とする請求項１に記載の包装袋の製造方法。
【請求項３】
折畳み工程が、合成樹脂フィルムの左右を、全体の１／３の幅ずつ内向きに折り返すものであることを特徴とする請求項１、または請求項２に記載の包装袋の製造方法。
【発明の詳細な説明】
【技術分野】
【０００１】
本発明は、食品、化粧品、医薬品等の分野において使用されている袋本体の背面からフィン（支承片）を突出させた自立性の高い包装袋の製造方法に関するものである。
【背景技術】
【０００２】
従来より、食品、化粧品、医薬品等を包装（収納）するための包装袋として、合成樹脂フィルムによって形成された背貼り袋、封筒貼り袋、三方シール袋、四方シール袋等の平袋が用いられている。ところが、それらの平袋は、自立性がなく、内容物を収納した状態で開封した際に、誤って手放すと、内容物が流出したり、開口部が接地して汚れたりしてしまう。それゆえ、それらの平袋の背面に、支えとなるフィン（支承片）を付設したものが開発されている。
【０００３】
また、そのようなフィンを付設した包装袋（平袋）の製造方法として、特許文献１の如く、合成樹脂フィルムの左右両端部をシールしてフィンを形成する工程、合成樹脂フィルムの下辺をシールする工程、内容物を充填する工程、合成樹脂フィルムの下辺をシールする工程の四つの工程を有する製造方法が知られている。
【先行技術文献】
【特許文献】
【０００４】
【特許文献１】特開２００３−７２７７１号公報
【発明の概要】
【発明が解決しようとする課題】
【０００５】
しかしながら、上記特許文献１の如き従来のフィンを付設してなる包装袋の製造方法は、内容物を充填した包装袋を形成するまでに、３回ものヒートシールを行う必要があるため、非常に製造効率が悪く、安価に製造することができない、という不具合があった。
【０００６】
本発明の目的は、上記特許文献１の如き従来のフィン（支承片）を付設してなる包装袋の製造方法が有する問題点を解消し、フィンを付設してなる包装袋を、シンプルな製造プロセスで、歩留まり良く効率的に、かつ安価に製造することを可能とする包装袋の製造方法を提供することにある。
【課題を解決するための手段】
【０００７】
本発明の内、請求項１に記載された発明は、合成樹脂フィルムによって矩形状の袋本体の背面から矩形の支承片を突出させた形状を有する包装袋を製造するための製造方法であって、下記の（ａ）〜（ｄ）の工程を有することを特徴とするものである。
（ａ）一定幅の長尺な合成樹脂フィルムの左右を内向きに折り返すとともに、片側の折り返し部分を外向きに折り返して、他側の折り返し部分と重ね合わせることによって長尺状折畳み体を形成する折畳み工程
（ｂ）形成された長尺状折畳み体に、所定の幅のヒートシールを合成樹脂フィルムの長手方向と直交するように等間隔で施すヒートシール工程
（ｃ）ヒートシール部分の中間で、合成樹脂フィルムを裁断する裁断工程
（ｄ）片側の折り返し部分と他側の折り返し部分とをヒートシールすることによって収納領域を密封するとともに支承片を形成する支承片形成工程
【０００８】
請求項２に記載された発明は、請求項１に記載された発明において、支承片形成工程（ｄ）が、重なり合った２つの折り返し部分の全体をヒートシールするものであることを特徴とするものである。
【０００９】
請求項３に記載された発明は、請求項１、または請求項２に記載された発明において、折畳み工程が、合成樹脂フィルムの左右を、全体の１／３の幅ずつ内向きに折り返すものであることを特徴とするものである。
【発明の効果】
【００１０】
請求項１に記載の包装袋の製造方法によれば、自立性の高い包装袋を、シンプルな製造プロセスで、歩留まり良く効率的に、かつ安価に製造することが可能となる。
【００１１】
請求項２に記載の包装袋の製造方法によれば、支承片の強度が高くきわめて自立性の高い包装袋を、効率的に、かつ安価に製造することが可能となる。
【００１２】
請求項３に記載の包装袋の製造方法によれば、袋本体に対する支承片の長さ（高さ）のバランスが良好できわめて自立性の高い包装袋を、効率的に、かつ安価に製造することが可能となる。
【図面の簡単な説明】
【００１３】
【図１】包装袋の製造方法における折畳み工程の様子を示す説明図（平面図）である。
【図２】包装袋の製造方法における折畳み工程の様子を示す説明図（平面図）である。
【図３】包装袋の製造方法におけるヒートシール工程の様子を示す説明図である（ａは平面図であり、ｂはａにおけるＡ−Ａ線断面図である）。
【図４】包装袋の製造方法における裁断工程の様子を示す説明図（平面図）である。
【図５】製造された包装袋を示す説明図である（ａは正面図であり、ｂは左側面図である）。
【発明を実施するための形態】
【００１４】
本発明に係る製造方法においては、包装袋の形成材料として合成樹脂フィルム（あるいは合成樹脂シート）が用いられる。ここでいう合成樹脂フィルム（あるいは合成樹脂シート）とは、食品、薬品、化粧品、洗剤等の包装材料として用いられる単一の合成樹脂フィルム、あるいは複数の合成樹脂フィルムを積層した積層フィルム、もしくは合成樹脂フィルムと紙やアルミ箔等とを積層した積層フィルム等のことである。本発明に係る包装袋に用いられる合成樹脂フィルム（あるいは合成樹脂シート）は、少なくとも片面（内面）が熱接着性を有している必要がある。
【００１５】
そのような合成樹脂フィルムとしては、ポリエステルフィルム、ナイロンフィルム、ポリプロピレンフィルム等のベースフィルムに、ポリエチレンフィルム、ポリプロピレンフィルム等の熱接着性フィルムを積層したラミネートフィルム等を好適に用いることができる。また、そのようなラミネートフィルムの中間にポリエステルフィルムやナイロンフィルム等を挟み込んだ３層以上のラミネートフィルムも好適に用いることができる。
【００１６】
なお、ベースフィルムや中間層を形成するフィルムは、未延伸のものを用いることも可能であるし、一軸延伸あるいは二軸延伸したものを用いることも可能である。また、ベースフィルムと熱接着性フィルムとの界面、ベースフィルムと中間層を形成するフィルムとの界面、中間層を形成するフィルムと熱接着性フィルムとの界面には、必要に応じて、金属箔層、金属蒸着層や無機蒸着層等を設けることも可能である。一方、合成樹脂フィルムの厚みは、特に限定されないが、内容物に対する保存性能や耐破袋強度等の面から、４０〜２５０μｍであると好ましく、１１０〜１８０μｍであるとより好ましい。
【００１７】
本発明に係る包装袋の製造方法は、上記した合成樹脂フィルム（一定幅の長尺状のもの）を、折畳み工程（ａ）、ヒートシール工程（ｂ）、裁断工程（ｃ）、支承片形成工程（ｄ）を含む製造工程によって、所定の態様で折畳み、その折畳み後の長尺状折畳み体の所定の部分をヒートシールし、所定の部位で裁断することにより包装袋（すなわち、背面から支承片（フィン）を突出させた包装袋）を製造するものである。
【００１８】
折畳み工程（ａ）、ヒートシール工程（ｂ）、裁断工程（ｃ）、支承片形成工程（ｄ）は、ガゼット製袋機を用いて、一連の加工として実施することも可能であるし、バッチ（非一連）の加工として実施することも可能である。なお、ヒートシールの温度は、特に限定されないが、ポリエチレン（直鎖状低密度ポリエチレン）フィルムを熱接着性フィルムとする合成樹脂フィルムを用いる場合には、１７０〜２１０℃の範囲内にするのが好ましい。
【００１９】
また、本発明に係る製造方法によって製造される包装袋は、正面視で概ね矩形のものであるが、その大きさは特に限定されず、高さ、幅ともに概ね５０〜３５０ｍｍの範囲内で、必要に応じて調整することができる。
【実施例】
【００２０】
以下、本発明に係る包装袋の製造方法について実施例に基づいてより詳細に説明するが、本発明は、かかる実施例の態様に何ら限定されるものではなく、本発明の趣旨を逸脱しない範囲で、適宜変更することが可能である。
【００２１】
＜包装袋の製造方法＞
図１〜図５は、本発明に係る包装袋の製造方法の一実施形態を示したものである。本発明に係る製造方法によって、支承片（フィン）を付設した包装袋を製造する際には、まず、連続的に供給される一定の幅（７２０ｍｍ）を有する長尺状で所定の厚み（１６０μｍ）の合成樹脂フィルムＦを、所定の対応で折り畳む。なお、合成樹脂フィルムＦは、上面を熱接着性面とした状態で配置される。
【００２２】
すなわち、図１（ａ）の如く、当該合成樹脂フィルムＦを、幅を三等分する２点において長手方向に沿って谷折りすることによって（折り曲げ線α，α）、左右に折り返し部Ｒ１，Ｒ２を形成する（なお、折り返し部Ｒ１，Ｒ２以外の中央の部分をベース部Ｂとする）。しかる後、図１（ｂ）の如く、それらの内の片方の折り返し部Ｒ１を、幅方向の中央おいて長手方向に沿って山折りすることにより（折り曲げ線β）、片側の折り返し部Ｒ１に、反対側の折り返し部Ｒ２を重なり合わせて、長尺状折畳み体１１を形成する（折畳み工程）。図２は、形成された長尺状折畳み体１１を示したものであり、この長尺状折畳み体１１における２枚の折り返し部Ｒ１，Ｒ２の重なり合った部分が、最終的に支承片３となる部分である。
【００２３】
しかる後、図３の如く、上記の如く形成された長尺状折畳み体１１に対して、等間隔（１４４ｍｍ間隔）で、一定幅（１４ｍｍ）のヒートシールを、長手方向に対して直交するように実施する（ヒートシール工程）。そのように等間隔でヒートシールを実行することによって、（当該ヒートシール部分においては）図３（ｂ）の如く、折り返し部Ｒ１の端縁際の部分（折り曲げ線βの外側の部分）の外面と反対側の折り返し部Ｒ２の端縁際の部分の内面とがヒートシールされるとともに、折り返し部Ｒ１の内側の部分（折り曲げ線βの内側の部分）の内面とベース部Ｂの内面とがヒートシールされる。また、長尺状折畳み体１１の内部が、ヒートシール部分Ｈによって区切られた収納空間となる。
【００２４】
さらに、そのように長尺状折畳み体１１に断続的にヒートシールを施した後には、図４の如く、それらのヒートシール部分Ｈの略中央（裁断線γ）で、長尺状折畳み体１１を裁断する（裁断工程）。そのように、長尺状折畳み体１１を裁断することによって、袋本体２の背面から支承片３を突出させた包装袋Ｐ’（半製品）が形成される（なお、当該包装袋Ｐ’においては、折畳み工程で重ね合わされた２枚の折り返し部Ｒ１，Ｒ２の外端縁部分のみが開口した状態になっている）。
【００２５】
しかる後、その包装袋Ｐ’の内部に、収納物を充填する。かかる収納物の充填は、折畳み工程で重ね合わされた２枚の折り返し部Ｒ１，Ｒ２の端縁の開口部から実施する。そして、内容物を充填した後には、重なり合った２枚の折り返し部Ｒ１，Ｒ２の全面を、それらの２枚の折り返し部Ｒ１，Ｒ２を挟み込んだ状態でヒートシールする。かかるヒートシールによって、収納物を充填した袋本体２の内部が密封されるとともに、２枚の合成樹脂フィルムが貼着し合った強度の高い支承片３が形成される。
【００２６】
＜包装袋の構成＞
図５は、上記の如く形成された包装袋Ｐを示したものである。包装袋Ｐは、合成樹脂フィルムＦを折り曲げることによって、所定の大きさ（縦×横＝２４０ｍｍ×１３０ｍｍ）の矩形の三方袋状の袋本体２が形成されている。そして、その袋本体２は、左右両サイドが所定の幅（７ｍｍ幅）でヒートシールされており、背面の高さ方向における中間から、２枚の合成樹脂フィルムＦ，Ｆをヒートシールしてなる矩形の支承片３が、水平状に突出した状態になっている。
【００２７】
なお、支承片３の幅は、袋本体２の幅と同一であり、支承片３の高さは、袋本体２の高さの１／２となっている。また、支承片３を構成する合成樹脂フィルムＦは、袋本体２の表裏の胴材を構成している合成樹脂フィルムＦと同一である。すなわち、裏側の胴材の上半分を構成している合成樹脂フィルムＦ、および、裏側の胴材の上半分を構成している合成樹脂フィルムＦが、それぞれ、外向きに折り返されて重ねられ、ヒートシールされることによって支承片３が形成された状態になっている。
【００２８】
上記の如く構成された包装袋Ｐは、内容物が充填された状態で、図５（ｂ）の如く、支承片３を、その先端が袋本体から離反するように開くことによって、支承片３を支えとして機能させることができ、安定した状態で自立させることができる。
【００２９】
＜包装袋の製造方法による効果＞
上記した包装袋Ｐの製造方法は、下記の（ａ）〜（ｄ）の工程を有している。
（ａ）一定幅の長尺な合成樹脂フィルムＦの左右を内向きに折り返すとともに、片側の折り返し部分Ｒ１を外向きに折り返して、他側の折り返し部分Ｒ２と重ね合わせることによって長尺状折畳み体１１を形成する折畳み工程
（ｂ）形成された長尺状折畳み体１１に、所定の幅のヒートシールを合成樹脂フィルムＦの長手方向と直交するように等間隔で施すヒートシール工程
（ｃ）ヒートシール部分Ｈの中間で、合成樹脂フィルムＦを裁断する裁断工程
（ｄ）片側の折り返し部分Ｒ１と他側の折り返し部分Ｒ２とをヒートシールすることによって収納領域を密封するとともに支承片３を形成する支承片形成工程
したがって、かかる包装袋Ｐの製造方法によれば、自立性の高い包装袋Ｐを、シンプルな製造プロセスで歩留まり良く効率的に、かつ安価に製造することが可能となる。
【００３０】
また、包装袋Ｐの製造方法は、重なり合った２つの折り返し部分Ｒ１，Ｒ２の全体をヒートシールするものであるため、この製造方法によれば支承片３の強度が高くきわめて自立性の高い包装袋Ｐを、効率的に、かつ安価に製造することが可能となる。
【００３１】
さらに、包装袋Ｐの製造方法は、折畳み工程が、合成樹脂フィルムＦの左右を、全体の１／３の幅ずつ内向きに折り返すものであるため、この製造方法によれば、袋本体２に対する支承片３の長さ（高さ）のバランスが良好できわめて自立性の高い包装袋Ｐを、効率的に、かつ安価に製造することが可能となる。
【００３２】
＜包装袋の製造方法の変更例＞
本発明に係る包装袋の製造方法は、上記実施形態の態様に何ら限定されるものではなく、使用される合成樹脂製フィルムの材質、形成される包装袋の大きさ（袋本体や支承片の高さ、幅等）、袋本体、支承片の形状等の構成を、本発明の趣旨を逸脱しない範囲で、必要に応じて適宜変更できる。
【００３３】
たとえば、本発明に係る包装袋の製造方法で使用される合成樹脂フィルムは、ナイロンフィルムとポリエステルフィルムとポリエチレンフィルム（直鎖状低密度ポリエチレンフィルム）とを積層させたものや、ナイロンやポリエステル以外の材質の合成樹脂フィルムをポリエチレン等の熱接着性を有するフィルム上に積層させたもの等でも良い。なお、合成樹脂フィルムとして、ナイロンフィルムとポリエステルフィルムとポリエチレンフィルム（直鎖状低密度ポリエチレンフィルム）とを積層させたものを用いた場合には、包装袋の強度が良好なものとなるとともに、包装袋の製造が容易なものとなる。
【００３４】
また、本発明に係る包装袋の製造方法は、上記実施形態の如く、袋本体の背面の高さ方向の中央から支承片を突出させた包装袋を製造するものに限定されず、袋本体の背面の高さ方向の中央以外の高さ位置から支承片を突出させた包装袋を製造するものに変更することも可能である。なお、そのように、支承片の設置位置を変更する場合には、折畳み工程における合成樹脂フィルムの折曲げ位置（上記実施形態におけるα、β）を適宜変更する必要がある。
【００３５】
さらに、本発明に係る包装袋の製造方法は、上記実施形態の如く、単純なシート状の支承片を形成するものに限定されず、支承片の折れ曲がりを防止するための補強構造を設ける工程を加えることも可能である。なお、当該補強構造としては、上下方向に沿った山折り線と谷折り線とが連続する蛇腹状の折り目や、波形のエンボス加工等を利用することができる。また、それらの補強構造は、支承片の全体に設けることも可能であるし、支承片の一部に設けることも可能である
【００３６】
加えて、本発明に係る包装袋の製造方法には、ヒートシール部分にノッチを形成する工程、袋本体のコーナーをＲ状に裁断する工程、レーザーで形成したハーフカット等の易開封手段を設ける工程等の種々の工程を含めることも可能である。また、本発明に係る包装袋の製造方法は、上記実施形態の如く、裁断工程の後に内容物を充填して密封する（支承片をヒートシールする）ものに限定されず、ヒートシール工程の後に内容物を充填して密封してから裁断工程を実施するもの等に変更することも可能である。
【産業上の利用可能性】
【００３７】
本発明に係る包装袋の製造方法は、上記の如く優れた効果を奏するものであるので、支承片（フィン）を付設した自立性の高い包装袋の製造方法として、好適に用いることができる。
【符号の説明】
【００３８】
Ｐ・・包装袋
２・・袋本体
３・・支承片
１１・・長尺状折畳み体
Ｆ・・フィルム
Ｒ１，Ｒ２・・折り返し部
【図１】
2019018481.tif 000003
【図２】
2019018481.tif 000004
【図３】
2019018481.tif 000005
【図４】
2019018481.tif 000006
【図５】
2019018481.tif 000007